(57)【要約】【課題】アンテナの耐振動性を向上できるとともに、アンテナ製造時における材料歩留まりを低く抑えることができるアンテナ装置を提供する。【解決手段】受信アンテナ６は、アンテナ基板７と、そのアンテナ基板７に立設する取り付け状態をとるアンテナ９とを備える。アンテナ９は、給電アンテナエレメント１０及び頂点アンテナエレメント１２からなる逆Ｌ部分を基礎として、これのアンテナ開放端側に支持アンテナエレメント１３を設け、この支持アンテナエレメント１３をアース接地しない状態でアンテナ基板７に取り付ける。そして、この構成に加え、支持アンテナエレメント１３の中間位置を更に内側に延ばして中間アンテナエレメント１６を設ける。【選択図】図２
2010010898.tif 000002
【特許請求の範囲】
【請求項１】
アンテナ基板の給電点から当該アンテナ基板の垂直方向に延びる垂直方向アンテナエレメントと、当該垂直方向アンテナエレメントから曲がって延びつつ前記アンテナ基板に対して水平方向に並ぶ水平方向アンテナエレメントとを備えたアンテナを持つアンテナ装置において、
前記水平方向アンテナエレメントの反給電点側を前記アンテナ基板側に延ばしつつこれをアース接地しない状態で前記アンテナ基板に取り付けることにより、前記アンテナを支持する支持部を設け、前記アンテナの形状を、該アンテナをプレス成形するときに少なくとも前記２つのアンテナエレメントが同一平面上に位置する形状をとるようにしたことを特徴とするアンテナ装置。
【請求項２】
前記支持部から前記水平方向アンテナエレメントと前記アンテナ基板との間において一体に延びつつ、当該アンテナ基板に対して水平方向に沿う向きをとる内側アンテナエレメントを設けたことを特徴とする請求項１に記載のアンテナ装置。
【請求項３】
前記内側アンテナエレメントは、前記水平方向アンテナエレメントと前記アンテナ基板との間の中間位置に配置されていることを特徴とする請求項２に記載のアンテナ装置。
【請求項４】
前記内側アンテナエレメントには、同エレメントを前記アンテナ基板側に延ばしつつこれをアース接地しない状態で前記アンテナ基板に取り付けることにより、前記内側アンテナエレメントを前記アンテナ基板に支持する第２支持部を設けたことを特徴とする請求項２又は３に記載のアンテナ装置。
【発明の詳細な説明】
【技術分野】
【０００１】
本発明は、各種電波を送受信するアンテナ装置に関する。
【背景技術】
【０００２】
従来、車両には、キー固有のキーコードを無線により車両に送る電子キーを車両キーとして使用する電子キーシステムが搭載されている。この電子キーシステムの一種には、このキーコードの発信に際してキーのボタン操作を必要とするワイヤレスキーシステムがある。このワイヤレスキーシステムにおいては、電子キーに設けられたロックボタンが押し操作されると、キーコードと施錠要求とを含む施錠要求電波が電子キーから車両に発信され、この施錠要求電波を車両が受け取ると、この電波に含まれるキーコードが正しければ、解錠状態の車両のドアロックが解錠される。また、電子キーに設けられたアンロックボタンが操作されたときには、電子キーから同様の解錠要求電波が車両に発信され、施錠状態の車両のドアロックが解錠される。
【０００３】
車両には、電子キーシステムの一構成部品として、電子キーから発信された各種電波を受信する受信アンテナが搭載されている。この種のアンテナとしては、例えば逆Ｌ型アンテナが広く使用されている。逆Ｌ型アンテナは、アルファベットのＬを逆さにした形状をとることから、このような名称で呼ばれている。この種の逆Ｌ型アンテナは、例えば特許文献１に開示されている。図１０に示すように、特許文献１の逆Ｌ型アンテナ８１は、グランド面８２に対して垂直方向に延びる給電アンテナエレメント８３と、この給電アンテナエレメント８３から９０度折れ曲がるとともにグランド面８２に並行に延びる略コ字形状アンテナエレメント８４からなる。逆Ｌ型アンテナ８１には、アンテナ線の途中でエレメントを折り曲げることができる分だけ低姿勢にできる利点がある。
【特許文献１】特開２００３−８３３１号公報
【発明の開示】
【発明が解決しようとする課題】
【０００４】
しかし、このような逆Ｌ型アンテナ８１は、アルファベットのＬを逆さにした形状をとっていることから、垂直方向に延びる短い給電アンテナエレメント８３で、水平方向に延びる長い略コ字形状アンテナエレメント８４を支持する取り付け状態をとることになる。このため、特許文献１の逆Ｌ型アンテナ８１というのは、アンテナ線を途中で曲げられる分だけアンテナ高さを低姿勢にできるものの、水平方向に長く延びるアンテナエレメントを、１本の短い垂直方向のアンテナエレメントで支持するという非常に不安定な支持状態をとることになるので、絶縁体による支持体なしでは振動に対して耐久性がそれほど高くない問題があった。よって、例えばアンテナに振動が加わった際に、アンテナ８１が根元（給電アンテナエレメント８３）で折れてしまう状況も想定されるので、アンテナ８１の耐振動性を向上したい要望もあった。
【０００５】
また、特許文献１の逆Ｌ型アンテナ８１は、アンテナエレメントが途中で折れ曲がっているので、アンテナエレメントが垂直面と水平面との２面に亘って存在することになる。ところで、このようなアンテナ形状を持つアンテナにおいて、例えばアンテナ材料として金属板を使用した場合を想定すると、この種のアンテナを製造するに際しては、まず最初にアンテナ材料の垂直面をプレス加工することにより給電アンテナエレメント８３を打ち抜き形成し、これを９０度折り曲げ加工する製造工程をとることが考えられる。しかし、この製造工程をとった場合には、アンテナ材料の２面に亘りプレス加工が必要となるので、製造工程に曲げ加工が必要となるとともに、プレス時に廃棄する箇所が多くなる。よって、特許文献１の技術を用いた逆Ｌ型アンテナ８１では、製造工程時における歩留まりがよくないという問題があった。
【０００６】
本発明の目的は、アンテナ耐振動性を向上できるとともに、アンテナ製造時における材料歩留まりを低く抑えることができるアンテナ装置を提供することにある。
【課題を解決するための手段】
【０００７】
前記問題点を解決するために、本発明では、アンテナ基板の給電点から当該アンテナ基板の垂直方向に延びる垂直方向アンテナエレメントと、当該垂直方向アンテナエレメントから曲がって延びつつ前記アンテナ基板に対して水平方向に並ぶ水平方向アンテナエレメントとを備えたアンテナを持つアンテナ装置において、前記水平方向アンテナエレメントの反給電点側を前記アンテナ基板側に延ばしつつこれをアース接地しない状態で前記アンテナ基板に取り付けることにより、前記アンテナを支持する支持部を設け、前記アンテナの形状を、該アンテナをプレス成形するときに少なくとも前記２つのアンテナエレメントが同一平面上に位置する形状をとるようにしたことを要旨とする。
【０００８】
この構成によれば、水平方向アンテナエレメントの反給電点側をアンテナ基板側に延ばし、これを支持部としてアース接地（ＧＮＤ接続）しない状態でアンテナ基板に取り付けた。よって、水平方向アンテナエレメントは、垂直方向アンテナエレメントと支持部とにより、自身の端部両側が支持された状態でアンテナ基板に取り付くことになるので、振動（揺れ）に対して強い状態でアンテナ基板に取着した取り付け状態をとる。このため、アンテナ基板に立ち上がって取り付けられるアンテナを、耐振動性の高いものとすることが可能となる。
【０００９】
また、本構成においては、アンテナ（アンテナの基部品となるアンテナ材料）の形状を、プレス成形するときに少なくとも２つのアンテナエレメント（垂直方向アンテナエレメント及び水平方向アンテナエレメント）が同一平面上に位置する形状とした。よって、プレス加工によりアンテナを製造するに際しては、プレス面がこの同一平面の一枚で済むことになる。このため、例えばアンテナ製造時のプレス面が２面に亘る形状をアンテナがとっていた場合に比べて、本構成はプレス面が１面で済むだけ、プレス加工において廃棄する箇所が少なく抑えられる。従って、アンテナをプレス成形により製造する場合、歩留まりをよくすることが可能となる。
【００１０】
本発明によれば、前記支持部から前記水平方向アンテナエレメントと前記アンテナ基板との間において一体に延びつつ、当該アンテナ基板に対して水平方向に沿う向きをとる内側アンテナエレメントを設けたことを要旨とする。
【００１１】
この構成によれば、アンテナの耐振動性向上のためにアンテナに設けた支持部の途中を更に内側に更に延ばすことにより、アンテナにおいてその垂直方向の所定位置に、他アンテナエレメントと支持部との一続きのアンテナエレメントとして内側アンテナエレメントを設けた。このように、アンテナ内側にアンテナエレメントを設ければ、アンテナの理論式や計算式等から、アンテナ指向性を円形に近づけられることが期待できる。よって、本構成においては、アンテナ指向性を円形に近いものとすることが可能となり、例えばアンテナに対して所定角度からは無線通信が成立し易いものの他の角度からは無線通信が成立し難いという状況が生じ難くなる。なお、アンテナ指向性とは、アンテナの向き（方向）に対する感度特性（受信感度又は送信感度）を表す一指標であって、アンテナ指向性が円形に近づくとは、この感度がアンテナの向きに寄らずアンテナ周りの各位置において各々が近い値をとる傾向になることを言う。
【００１２】
本発明では、前記内側アンテナエレメントは、前記水平方向アンテナエレメントと前記アンテナ基板との間の中間位置に配置されていることを要旨とする。
この構成によれば、内側アンテナエレメントを水平方向アンテナエレメントとアンテナ基板との中間位置に配置すれば、アンテナの理論式や計算式等から、アンテナ指向性をより円形に近づけることが期待できる。よって、内側アンテナエレメントに本構成の位置関係をとらせれば、アンテナ指向性がより円形に近い状態をとったアンテナを提供することが可能となる。
【００１３】
本発明では、前記内側アンテナエレメントには、同エレメントを前記アンテナ基板側に延ばしつつこれをアース接地しない状態で前記アンテナ基板に取り付けることにより、前記内側アンテナエレメントを前記アンテナ基板に支持する第２支持部を設けたことを要旨とする。
【００１４】
この構成によれば、内側アンテナエレメントをアンテナ基板側に延ばし、これを第２支持部としてアース接地しない状態でアンテナ基板に取り付けた。このため、内側アンテナエレメントは第２支持部によってアンテナ基板に支持される状態でアンテナ基板に取り付くことになるので、内側アンテナエレメントは振動（揺れ）に対して強い状態でアンテナ基板に取着した取り付け状態をとる。よって、このように内側アンテナエレメントの耐振動性が向上されれば、アンテナ自体の振動に対する耐性がより上がるので、アンテナの耐振動性を一層向上することが可能となる。
【発明の効果】
【００１５】
本発明によれば、アンテナの耐振動性を向上できるとともに、アンテナ製造時における材料歩留まりを低く抑えることができる。
【発明を実施するための最良の形態】
【００１６】
以下、本発明を具体化したアンテナ装置の一実施形態を図１〜図９に従って説明する。
図１に示すように、車両１には、電子キーシステムの一種としてワイヤレスキーシステム２が搭載されている。このワイヤレスキーシステム２は、キーが固有に持つキーコードの無線発信に際してキーのボタン操作を必要とするワイヤレスキー３が電子キーとして使用され、その通信周波数としてＲＦ帯の信号が使用されている。ワイヤレスキー３には、車両ドアのドアロックを施錠する際に押し操作するロックボタン４と、車両ドアのドアロックを解錠する際に押し操作するアンロックボタン５とが設けられている。また、車両１には、ワイヤレスキーシステム２の車両側アンテナとして受信アンテナ６が設けられている。
【００１７】
このワイヤレスキーシステム２においては、ワイヤレスキー３のロックボタン４が押し操作されると、ワイヤレスキー３から施錠要求電波ＳlkがＲＦ帯の信号で車両１に発信される。この施錠要求電波Ｓlkには、ワイヤレスキー３のキーコードと、施錠を車両１に指示する施錠要求コードとが含まれている。車両１は、この施錠要求電波Ｓl kを受信アンテナ６で受信すると、この電波Ｓlkに含まれるキーコードでキー照合を行い、このキー照合が成立すれば、施錠要求コードに従い解錠状態の車両ドアのドアロックを施錠する。一方、ワイヤレスキー３のアンロックボタン５が押し操作されると、ワイヤレスキー３からは、ワイヤレスキー３のキーコードと解錠を車両１に指示する解錠要求コードとを含む解錠要求電波ＳulがＲＦ帯の信号で車両１に飛ばされ、施錠状態の車両ドアのドアロックが解錠される。
【００１８】
図２に示すように、受信アンテナ６には、受信アンテナ６の各種アンテナ部品の取り付け先として板形状のアンテナ基板７が設けられている。このアンテナ基板７には、基板配線としてパターン配線（回路配線）が形成され、受信アンテナ６の受信動作を管理する通信回路８がこのパターン配線上に設けられる他に、例えば電源に繋がる給電線やＧＮＤに繋がるアース線等も設けられている。受信アンテナ６は、このアンテナ基板７を車体に取り付けることにより車両１に組み付けられ、例えば車内のバックミラーの内部に、図２に示す状態のようにアンテナ基板７を縦向きにした状態で取り付けられている。なお、受信アンテナ６がアンテナ装置に相当する。
【００１９】
また、アンテナ基板７には、受信アンテナ６のアンテナ線としてアンテナ９が取り付けられている。このアンテナ９は、例えばアルミ等の金属製の部品からなり、アンテナ基板７に対してその垂直方向（図２のＸ軸方向）に立設する取り付け状態をとっている。このアンテナ９には、アンテナ基板７の給電点１１から垂直方向に沿って延びるアンテナエレメント１０が設けられている。このアンテナエレメント１０は、アンテナ基板７側のエレメント端がアンテナ基板７の給電点１１に接続されていることから、同エレメント１０を以降は給電アンテナエレメント１０と言う。また、給電点１１は、アンテナ基板７のパターン配線上の一箇所であって、アンテナ９が電波発信を行う際にその発信電波に準じた電流（進行波）が通信回路８から流れ込む端子である。なお、給電アンテナエレメント１０が垂直方向アンテナエレメントに相当する。
【００２０】
アンテナ９には、給電アンテナエレメント１０の反基板側のエレメント端から９０度折れ曲がりつつ、アンテナ基板７に対してその水平方向（図２のＹ軸方向）に沿って延びるアンテナエレメント１２が設けられている。このアンテナエレメント１２は、アンテナ９の垂直方向先端、即ちアンテナ９の頂点に位置する配置関係をとっていることから、同エレメント１２を以降は頂点アンテナエレメント１２と言う。なお、頂点アンテナエレメント１２が水平方向アンテナエレメントに相当する。
【００２１】
アンテナ９には、頂点アンテナエレメント１２の反給電点側のエレメント端をアンテナ基板７側に向けて９０度折り曲げつつ、アンテナ基板７に対して水平方向に延びてアンテナ基板７に取着された取り付け状態をとるアンテナエレメント１３が設けられている。このアンテナエレメント１３は、頂点アンテナエレメント１２を反給電点側で支持する働きを持つものであることから、同エレメント１３を以降は支持アンテナエレメント１３と言う。支持アンテナエレメント１３は、頂点アンテナエレメント１２を給電アンテナエレメント１０と両端で支持することにより、アンテナ９の耐振動性を高めている。なお、支持アンテナエレメント１３が支持部に相当する。
【００２２】
支持アンテナエレメント１３においてアンテナ基板７側のエレメント端、即ち支持アンテナエレメント１３の終端１４は、アンテナ基板７に半田付けにより固定されている。この終端１４は、アンテナ基板７にアース接地しない状態、即ちグランド端子１５（ＧＮＤ）には接続しない状態でアンテナ基板７に取り付けられ、このグランド端子１５から所定間隔（例えば数ｍｍ）の隙間を空けた取り付け状態をとっている。
【００２３】
図２及び図３に示すように、アンテナ９には、支持アンテナエレメント１３の途中を給電点１１側に更に一体に引き延ばすことにより、アンテナ基板７に対して水平方向に延びる中間アンテナエレメント１６が設けられている。この中間アンテナエレメント１６は、図４に示すように、アンテナ基板７の垂直方向において、頂点アンテナエレメント１２とアンテナ基板７との中間位置に配置されている。即ち、頂点アンテナエレメント１２と中間アンテナエレメント１６との垂直方向間隔と、中間アンテナエレメント１６とアンテナ基板７との垂直方向間隔とは、同じ値のＲに設定されている。また、支持アンテナエレメント１３の先端１７は、アンテナ９の給電点１１側、即ち給電アンテナエレメント１０に近接する位置まで延び、例えば数ｍｍ程度（例えば0.5〜3.5ｍｍ）まで近づけられている。なお、中間アンテナエレメント１６が内側アンテナエレメントに相当する。
【００２４】
また、アンテナ９には、中間アンテナエレメント１６の途中をアンテナ基板７側に更に引き延ばしてこれをアンテナ基板７に取り付けることにより、アンテナ基板７に対して垂直方向に延びる脚アンテナエレメント１８が設けられている。この脚アンテナエレメント１８は、アンテナ９の耐振動性を高める働きを持つものであって、中間アンテナエレメント１６においてその先端寄りの位置に配置されている。また、脚アンテナエレメント１８は、支持アンテナエレメント１３と同様に、アンテナ基板７にはグランド接続しない状態で接続されている。また、この時の隙間間隔は、支持アンテナエレメント１３と同様に数ｍｍ程度に設定されている。なお、脚アンテナエレメント１８が第２支持部に相当する。
【００２５】
このアンテナ９は、図４に示すように、１枚の金属板のプレス成形により製造されている。アンテナ製造にプレス成形を使用する場合、アンテナ材料１９として１枚の金属板を用意し、これにプレス加工を施すことにより、アンテナエレメント１０，１２，１３，１６，１８を持つ形状のアンテナ９を製造する。このようにして製造されたアンテナエレメント１０，１２，１３，１６，１８は、同一平面上に位置する状態をとり、本例の場合はアンテナ製造に関してアンテナエレメントの曲げ加工を不要としているので、アンテナ９をプレス成形するとき、即ちアンテナ材料１９のときから、これらが同一平面上に位置する状態をとっている。
【００２６】
次に、本例の受信アンテナ６の作用を説明する。
本例においては、給電アンテナエレメント１０と頂点アンテナエレメント１２とからなる逆Ｌ型のアンテナ形状を基礎にし、逆Ｌ型ではアンテナ開放側となる頂点アンテナエレメント１２の反給電点側のエレメント端を、アンテナ基板７の垂直方向に沿ってアンテナ基板７側に延ばし、これを支持アンテナエレメント１３としてアンテナ基板７に取着することにより、頂点アンテナエレメント１２をその反給電点側で支持アンテナエレメント１３により支持した。これにより、頂点アンテナエレメント１２は両端がアンテナ基板７に支持された取り付け状態をとる。このため、アンテナ９をより強固な状態でアンテナ基板７に取り付けることが可能となるので、アンテナ９の耐振動性を高いものとすることが可能となる。
【００２７】
また、本例のアンテナ９はプレス加工により製造されるが、本例においてはこのプレス加工を行う前のアンテナ材料１９のときに、アンテナエレメント１０，１２，１３，１６，１８が同一平面上に位置する形状をとっている。このため、アンテナ９の製造に際しては、１枚の金属板をプレス加工するだけの作業工程で済むことになるので、例えば２面をプレスする場合に比べて、金属板の廃棄する部分が少なく済む。よって、このように金属板で廃棄する部分が少なく抑えられる分だけ、アンテナ９の製造歩留まりをよくすることが可能となる。また、プレス加工も少ない回数に抑えられるので、製造工程の簡素化を図ることが可能となり、その分だけ製造コスト低減や製造効率向上を図ることが可能となる。
【００２８】
ここで、受信アンテナ６においては、ワイヤレスキー３から発信された各種電波の受信成立し易さの一指標としてアンテナ指向性と言うものがある。アンテナ指向性とは、アンテナ９の向き（方向）に対する感度特性（受信感度特性）を表す特性値であって、この値が高いと受信感度が高いと言える。また、このアンテナ指向性は、ワイヤレスキー３からアンテナ９（車両１）に対してどの方向から電波を発信しても、同程度の距離で発信電波がアンテナ９まで届くように、円形をなしていることが理想とされている。よって、この種の受信アンテナ６においては、アンテナ指向性をできる限り円形に近づけたい要望があり、このアンテナ指向性をより円形に近づけることにより、アンテナ特性をより高いものにしたい現状がある。
【００２９】
ところで、アンテナ９のアンテナ指向性を考える場合、アンテナ９の受信面には、アンテナ基板７に対して垂直方向に延びる面（以下、垂直面と記す：図２のＸ−Ｙ平面）と、アンテナ基板７に対して水平方向に延びる面（以下、水平面：図２のＹ−Ｚ平面と記す）との２面があるので、実際のところは、これら両面についてアンテナ指向性の円形を考慮に入れなければならない。しかし、図５に示すように、受信アンテナ６は車両１（要は地面）に対して縦向きに配置されつつ、しかもワイヤレスキー３は車両１の水平方向周囲（地面に沿う方向の周囲）から電波発信される使用状態をとるので、ワイヤレスキー３の電波発信方向は、アンテナ基板７の水平面に沿う向きに飛ぶ状態をとる。よって、アンテナ９に受信面は垂直面及び水平面の２面があるが、この場合の受信に関係するのは水平面に沿う電波であるので、アンテナ９の指向性を見る場合、垂直面に沿う向きのものについて考えれば足りることになる。
【００３０】
また、ワイヤレスキー３から発信されてアンテナ９で受け取られる電波としては、図６に示すように、その電波の進行方向において水平方向に揺れて伝わる水平偏波と、同じ進行方向において垂直方向に揺れて伝わる垂直偏波とがある。これは、例えばワイヤレスキー３を横向きにして電波発信を行うときと、ワイヤレスキー３を縦向きにして電波発信を行うときの２パターンがあるので、ワイヤレスキー３が横向き操作されたときは電波が水平偏波でアンテナ９に送られ、ワイヤレスキー３が縦向き操作されたときは電波が垂直偏波でアンテナ９に送られるからである。よって、アンテナ９の垂直面の指向性を見る場合は、水平偏波及び垂直偏波の両方が円形になっているか否かを確認する必要がある。
【００３１】
図７に、本例の受信アンテナ６の水平偏波及び垂直偏波の各々のアンテナ指向性の特性値を図示する。なお、同図のアンテナ指向性特性波形は、円周方向の目盛りが角度（０度〜３６０度）であり、径方向の目盛りが受信感度（単位：dBi）となっている。同図からも分かるように、本例のようにアンテナエレメント１０，１２，１３，１６，１８からなるアンテナ９は、水平偏波も垂直偏波もともにアンテナ指向性の特性波形が略円形をとることが分かる。なお、図７においては、垂直偏波のアンテナ指向性特性波形Ｍｂが平偏波のアンテナ指向性特性波形Ｍａよりも円サイズよりも小さくなって、垂直偏波の時の受信感度が垂直偏波の時よりも若干低くなっているが、実用上、問題はない。
【００３２】
また、図８に、本例の受信アンテナ６の電圧定在波比（VSWR：Voltage Standing Wave Ratio）の変化特性を図示する。なお、同図においては、横軸が周波数であり、縦軸が電圧定在波比となっている。ここで、例えばアンテナ長さＨを19ｍｍとし、アンテナのＬ字の長さ（＝Ｈ＋Ｌ）を82.7ｍｍとし、中間アンテナエレメント１６の高さＭを9.5ｍｍとすると、受信アンテナ６の共振周波数Ｆ０は約450ＭHzの値をとることが分かる。
【００３３】
ところで、例えば図９に示すように、中間アンテナエレメント１６（脚アンテナエレメント１８）を設けずに、支持アンテナエレメント１３のみ設けた場合を想定する。このとき、垂直面における水平偏波のアンテナ指向性は円形に近づけられる反面、垂直面における垂直偏波は楕円形に近い形状をとることから、全方位からの受信には適さない。しかし、アンテナ９に中間アンテナエレメント１６を設けると、図７及び図８からも分かるように、垂直面における垂直偏波のアンテナ指向性を円形に近づけられ、しかもアンテナ利得についてもダイポールアンテナ並みにすることが可能となる。
【００３４】
ここで、本例のアンテナ９においては、中間アンテナエレメント１６の先端１７を、より給電アンテナエレメント１０側に近づけて近接させている。ところで、アンテナ９の理論式や計算式等から、中間アンテナエレメント１６には、その先端１７を給電アンテナエレメント１０に近づけるに連れて共振周波数Ｆ０が低くなり、先端１７を給電アンテナエレメント１０から遠ざけるに連れて共振周波数Ｆ０が高くなる特性があることが分かった。よって、中間アンテナエレメント１６の先端１７を給電アンテナエレメント１０に近づけると、その分だけ共振周波数Ｆ０が低くなるが、アンテナ９には外形を小さくすると共振周波数Ｆ０が高い方向にずれる特性があるので、この時に共振周波数Ｆ０を高めに設定したい場合は、アンテナ外形を小さくすることにより対応する。
【００３５】
また、アンテナ９の指向性は、中間アンテナエレメント１６の垂直方向高さにも影響を受ける。即ち、中間アンテナエレメント１６が低い位置にあると、共振周波数Ｆ０の値が下がり、しかも共振時の入力インピーダンスも下がり、アンテナ指向性も楕円形に近づく傾向をとり、一方で中間アンテナエレメント１６が高い位置にあると、共振周波数Ｆ０の値が上がり、しかも共振時の入力インピーダンスが下がり、アンテナ指向性も楕円形に近づく傾向をとる。しかし、中間アンテナエレメント１６をアンテナ９の垂直方向（高さ方向）の中間位置に配置すると、垂直面における垂直偏波のアンテナ指向性が円形に近づくこと傾向にあるので、本例は中間アンテナエレメント１６をアンテナ９の垂直方向中間位置に配置している。
【００３６】
さて、本例においては、支持アンテナエレメント１３の中間位置を更に内側、即ち給電アンテナエレメント１０側に延ばして中間アンテナエレメント１６を設けた。このため、アンテナ９の垂直面における垂直偏波のアンテナ指向性が円形に近づく状態をとるので、アンテナ特性をよいものとすることが可能となる。また、この中間アンテナエレメント１６をアンテナ９の高さの中間位置（中央位置）に配置したので、図８からも分かるように、アンテナ９の垂直面における垂直偏波のアンテナ指向性がより円形に近づくことが分かる。このため、中間アンテナエレメント１６を設けるに際してこれをアンテナ高さの中間位置に配置すれば、アンテナ９のアンテナ特性をより高いものとすることが可能となる。
【００３７】
本実施形態の構成によれば、以下に記載の効果を得ることができる。
（１）給電アンテナエレメント１０及び頂点アンテナエレメント１２からなる逆Ｌ部分を基礎として、これのアンテナ開放端側に支持アンテナエレメント１３を設けるとともに、この支持アンテナエレメント１３をアース接地しない状態でアンテナ基板７に取り付けつつ、しかもアンテナ９がそのプレス成形時においてとる形状を、プレス加工を行う前のアンテナ材料１９のときに、アンテナエレメント１０，１２，１３，１６，１８が同一平面上に位置する形状とした。そして、アンテナ９の逆Ｌ部分の内部位置に、アンテナ開放端側から基板側に延ばした支持アンテナエレメント１３を給電点１１側に更に引き延ばすことにより、アンテナ基板７に対して水平方向に延びる中間アンテナエレメント１６を設けた。従って、一般的な逆Ｌ型アンテナの場合と比較して、受信アンテナ６の耐振動性を向上できるとともに、アンテナ製造時における歩留まりをよくすることもでき、しかもアンテナ指向性をより円形に近いものとすることもできる。
【００３８】
（２）アンテナ９に中間アンテナエレメント１６を設ける場合、この中間アンテナエレメント１６をアンテナ９の高さ中間位置に配置した。このため、アンテナ９の垂直面における垂直偏波のアンテナ指向性がより円形に近づくので、アンテナ９のアンテナ指向性をより円形に近づけることができる。
【００３９】
（３）中間アンテナエレメント１６の先端寄りの位置に、中間アンテナエレメント１６を更にアンテナ基板７側に引き延ばしてこれをアンテナ基板７に固定することにより、中間アンテナエレメント１６をアンテナ基板７に支持する脚アンテナエレメント１８を設けた。このため、中間アンテナエレメント１６が振動に対して強くなるので、アンテナ９の耐振動性を一層向上することができる。
【００４０】
（４）アンテナ９は１枚の金属板をプレス加工により打ち抜き、その打ち抜き後のままの形状が最終的なアンテナ形状となっている。よって、アンテナ９はその製造工程時において曲げ加工が不要であるので、その分だけ製造工程を簡素なものとすることができる。
【００４１】
なお、実施形態はこれまでに述べた構成に限らず、以下の態様に変更してもよい。
・  アンテナ９は、必ずしも受信用に限定されず、例えば送信用として使用してもよいし、或いは送受信兼用として使用してもよい。
【００４２】
・  アンテナ９は、必ずしも中間アンテナエレメント１６を持つ形状に限定されず、例えば図９に示すような中間アンテナエレメント１６を省略した逆Ｕ字形状をとるものでもよい。
【００４３】
・  中間アンテナエレメント１６の配置位置は、必ずしもアンテナ９の高さ方向中間位置に限定されず、この位置から上又は下にずれていてもよい。
・  脚アンテナエレメント１８の配置位置は、必ずしも中間アンテナエレメント１６の先端寄りの位置に限定されず、例えば中間アンテナエレメント１６の長手方向中央に配置してもよい。また、脚アンテナエレメント１８の個数は、必ずしも１つに限定されず、例えば２つ以上設けてもよい。
【００４４】
・  受信アンテナ６を縦向きに配置する場合、これはアンテナ９の長手方向が地面に沿う配置向きをとることに限定されず、例えばこの長手方向が地面と直交する向きをとってもよい。また、受信アンテナ６の配置向きは、必ずしも地面に対して縦向きであることに限定されず、電波発信方向によっては地面に対して横向き（アンテナ９が地面に対して立設する向き）に配置してもよい。
【００４５】
・  支持アンテナエレメント１３は、必ずしもアンテナ基板７に対して垂直方向に延びる向きをとることに限定されず、この垂直線に対して若干傾いていてもよい。なお、このことは、中間アンテナエレメント１６や脚アンテナエレメント１８についても同様に言える。
【００４６】
・  アンテナ９の製造工程には、例えば曲げ加工が含まれていてもよいし、或いは複数のプレス加工を要してもよい。
・  電子キーシステムは、必ずしもワイヤレスキーシステム２に限定されない。例えば、電子キー（車両キー）からのキーコード発信が自動で行われるキー操作フリーシステムでもよい。このキー操作フリーシステムでは、キーコード返信のリクエストが連続的又は断続的に車両１から発信され、このリクエストを電子キーが受信すると、これに応答する形で車両１にキーコードを返信する動作をとる。
【００４７】
・  受信アンテナ６の搭載対象は、必ずしも車両１に限定されず、無線通信を行う機器や装置であれば、特に限定されない。
次に、上記実施形態及び別例から把握できる技術的思想について、それらの効果とともに以下に追記する。
【００４８】
（１）請求項２〜４のいずれかにおいて、前記内側アンテナエレメントは、同エレメントの先端が前記垂直方向アンテナエレメントに近接する位置まで延びている。この構成によれば、内側アンテナエレメントの先端を垂直方向アンテナエレメントに接近させる分だけ、アンテナ材料においてアンテナとして使用する箇所が多くなる。よって、よって、プレス加工によってアンテナを製造する場合、その時に廃棄する箇所を一層少なく抑えることが可能となり、製品製造時の歩留まりを一層よくすることが可能となる。
【図面の簡単な説明】
【００４９】
【図１】一実施形態におけるワイヤレスキーシステムの概要を示す概念図。
【図２】受信アンテナの具体的構成を示す斜視図。
【図３】受信アンテナの具体的構成を示す平面図。
【図４】アンテナをプレス成形する際に行うプレス加工の概念図。
【図５】受信アンテナが持つべき理想のアンテナ指向性を示す説明図。
【図６】ワイヤレスキーの使用向きに応じた発信電波の飛び方を説明する説明図。
【図７】受信アンテナの水平面における水平偏波及び垂直偏波の各々のアンテナ指向性の特性値を示す波形図。
【図８】受信アンテナの電圧定在波比の変化特性を示す波形図。
【図９】支持アンテナエレメントを持たない逆Ｕ型アンテナの外観を示す平面図。
【図１０】従来における逆Ｌ型アンテナの概略を示す模式図。
【符号の説明】
【００５０】
６…アンテナ装置としての受信アンテナ、７…アンテナ基板、９…アンテナ、１０…垂直方向アンテナエレメントとしての給電アンテナエレメント、１１…給電点、１２…水平方向アンテナエレメントとしての頂点アンテナエレメント、１３…支持部としての支持アンテナエレメント、１６…内側アンテナエレメントとしての中間アンテナエレメント、１８…第２支持部としての脚アンテナエレメント。
【図１】
2010010898.tif 000003
【図２】
2010010898.tif 000004
【図３】
2010010898.tif 000005
【図４】
2010010898.tif 000006
【図５】
2010010898.tif 000007
【図６】
2010010898.tif 000008
【図７】
2010010898.tif 000009
【図８】
2010010898.tif 000010
【図９】
2010010898.tif 000011
【図１０】
2010010898.tif 000012